(57)【要約】【課題】フィルタ性能の向上を図ることが可能なフィルタの製造方法及び煙感知器を提供する。【解決手段】フィルタの製造方法は、第１工程と、第２工程と、第３工程と、を備える。第１工程では、フィルタ部７２３と連結部７２５とを含む第１成形体１１を射出成形する。フィルタ部７２３は、複数の開口部７２３１及び各々が複数の開口部７２３１のうち隣り合う２つの開口部７２３１の間に位置する複数の線状部７２３２を有する。連結部７２５は、フィルタ部７２３がつながっている。第２工程では、第１成形体１１をフィルタ部７２３と連結部７２５との境界において折り曲げることにより立体形状体１３を形成する。第３工程では、第２成形体１２を樹脂成形により立体形状体１３に一体に成形することによってフィルタ部７２３を側壁１４１の一部として含む筒状体１４を形成する。【選択図】図１
2019188378.tif 000002
【特許請求の範囲】
【請求項１】
複数の開口部及び各々が前記複数の開口部のうち隣り合う２つの開口部の間に位置する複数の線状部を有するフィルタ部と前記フィルタ部がつながっている連結部とを含む第１成形体を射出成形する第１工程と、
前記第１成形体を前記フィルタ部と前記連結部との境界において折り曲げることにより立体形状体を形成する第２工程と、
第２成形体を樹脂成形により前記立体形状体に一体に成形することによって前記フィルタ部を側壁の一部として含む筒状体を形成する第３工程と、を備える、
フィルタの製造方法。
【請求項２】
前記複数の線状部の各々は、その長さ方向に直交する断面における最短軸方向の長さが０．１ｍｍ以下である、
請求項１に記載のフィルタの製造方法。
【請求項３】
前記第２成形体の少なくとも一部の肉厚が前記第１成形体の肉厚よりも厚い、
請求項１又は２に記載のフィルタの製造方法。
【請求項４】
前記第１成形体の前記連結部が円板状であり、
前記第１成形体は、前記フィルタ部を複数含み、かつ、前記複数のフィルタ部が前記連結部の周方向に並んでおり、
前記第２工程では、前記第１成形体を前記複数のフィルタ部と前記連結部との各境界において折り曲げることにより前記立体形状体を形成し、
前記第３工程では、前記第２成形体を樹脂成形により前記立体形状体に一体に成形することによって前記複数のフィルタ部を側壁の一部として含む筒状体を形成する、
請求項１〜３のいずれか一項に記載のフィルタの製造方法。
【請求項５】
前記第１成形体の前記連結部が環状であり、
前記第１成形体は、前記フィルタ部を複数含み、かつ、前記複数のフィルタ部が前記連結部の外側で前記連結部の周方向に並んでおり、
前記第２工程では、前記第１成形体を前記複数のフィルタ部と前記連結部との各境界において折り曲げることにより前記立体形状体を形成し、
前記第３工程では、前記第２成形体を樹脂成形により前記立体形状体に一体に成形することによって前記複数のフィルタ部を側壁の一部として含む有底の筒状体を形成する、
請求項１〜３のいずれか一項に記載のフィルタの製造方法。
【請求項６】
前記第１成形体は、前記フィルタ部を複数含み、
前記第１成形体では、前記複数のフィルタ部が一方向に並んでおり、かつ、前記一方向において隣り合う２つのフィルタ部の間に前記２つのフィルタ部に共通の前記連結部が介在しており、
前記第２工程では、前記第１成形体を前記複数のフィルタ部と前記連結部との各境界において折り曲げることにより前記立体形状体を形成し、
前記第３工程では、前記第２成形体を樹脂成形により前記立体形状体に一体に成形することによって前記複数のフィルタ部を側壁の一部として含む有底の筒状体を形成する、
請求項１〜３のいずれか一項に記載のフィルタの製造方法。
【請求項７】
前記複数の線状部の各々は、前記複数の開口部のうち対応する２つの開口部の貫通方向に沿った規定方向に細長く、
前記複数の線状部の各々における前記規定方向の両端それぞれが先細りしている、
請求項１〜６のいずれか一項に記載のフィルタの製造方法。
【請求項８】
外部空間から煙感知空間への異物の侵入を防止するフィルタを備え、
前記フィルタは、
各々が複数の開口部を有し円周方向に並んでいる複数のフィルタ部と前記複数のフィルタ部がつながっている円板状の連結部とを含む第１成形体において前記複数のフィルタ部が前記連結部との境界で折り曲げられている立体形状体と、
前記立体形状体に一体に成形された第２成形体と、を含み、
前記フィルタは、前記立体形状体と前記第２成形体とで構成されて前記複数のフィルタ部を側壁の一部として含む筒状体を有する、
煙感知器。
【発明の詳細な説明】
【技術分野】
【０００１】
本開示は、一般にフィルタの製造方法及び煙感知器に関し、より詳細には、気体を通す複数の開口部を有し気体中の異物を濾過するフィルタの製造方法及びフィルタを備える煙感知器に関する。
【背景技術】
【０００２】
従来、煙検知器を採用した煙検知式の警報器（煙感知器）が知られている（特許文献１）。特許文献１に記載された煙検知器は、光学基台と、発光ダイオードと、フォトダイオードと、防虫網（フィルタ）と、を備えている。防虫網は、多孔状であり、虫や埃が光学室内に侵入することを防ぐ。
【先行技術文献】
【特許文献】
【０００３】
【特許文献１】特開２００９−１９９５１８号公報
【発明の概要】
【発明が解決しようとする課題】
【０００４】
特許文献１に記載された防虫網では、成形のための金型の構造を簡単な構造とするため、全ての孔（開口部）の貫通方向を互いに平行な方向としてある。このため、防虫網（フィルタ）への煙（気体）の流入方向が制限され、フィルタ性能が低下してしまうことがある。
【０００５】
本開示の目的は、フィルタ性能の向上を図ることが可能なフィルタの製造方法及び煙感知器を提供することにある。
【課題を解決するための手段】
【０００６】
本開示の一態様に係るフィルタの製造方法は、第１工程と、第２工程と、第３工程と、を備える。前記第１工程では、フィルタ部と連結部とを含む第１成形体を射出成形する。前記フィルタ部は、複数の開口部及び各々が前記複数の開口部のうち隣り合う２つの開口部の間に位置する複数の線状部を有する。前記連結部には、前記フィルタ部がつながっている。前記第２工程では、前記第１成形体を前記フィルタ部と前記連結部との境界において折り曲げることにより立体形状体を形成する。前記第３工程では、第２成形体を樹脂成形により前記立体形状体に一体に成形することによって前記フィルタ部を側壁の一部として含む筒状体を形成する。
【０００７】
本開示の一態様に係る煙感知器は、外部空間から煙感知空間への異物の侵入を防止するフィルタを備える。前記フィルタは、立体形状体と、第２成形体と、を含む。前記立体形状体では、円周方向に並んでいる複数のフィルタ部と前記複数のフィルタ部がつながっている円板状の連結部とを含む第１成形体において前記複数のフィルタ部が前記連結部との境界で折り曲げられている。前記複数のフィルタ部の各々は、複数の開口部を有する。前記第２成形体は、前記立体形状体に一体に成形されている。前記フィルタは、前記立体形状体と前記第２成形体とで構成されて前記複数のフィルタ部を側壁の一部として含む筒状体を有する。
【発明の効果】
【０００８】
本開示のフィルタの製造方法及び煙感知器は、フィルタ性能の向上を図ることが可能となる。
【図面の簡単な説明】
【０００９】
【図１】図１Ａ〜１Ｃは、実施形態に係るフィルタの製造方法の説明図である。
【図２】図２Ａは、同上のフィルタの製造方法において形成する第１成形体の平面図である。図２Ｂは、同上のフィルタの製造方法において形成する第１成形体に関し、図２ＡのＸ−Ｘ断面図である。
【図３】図３は、同上のフィルタの製造方法における第１工程の説明図である。
【図４】図４は、同上のフィルタの製造方法により製造されたフィルタに対する気体（煙）の流入方向の説明図である。
【図５】図５Ａは、実施形態に係る煙感知器の斜め下方から見た外観斜視図である。図５Ｂは、同上の煙感知器の斜め上方から見た外観斜視図である。
【図６】図６は、同上の煙感知器の斜め下方から見た分解斜視図である。
【図７】図７は、同上の煙感知器の斜め上方から見た分解斜視図である。
【図８】図８は、同上の煙感知器の一部破断した斜視図である。
【図９】図９Ａは、同上の煙感知器における感知ブロックの分解斜視図である。図９Ｂは、同上の煙感知器における感知ブロックのフィルタ部の拡大図である。
【図１０】図１０は、同上の煙感知器における感知ブロックに関し、フィルタを外した状態の平面図である。
【図１１】図１１は、実施形態の変形例１に係るフィルタの製造方法の説明図である。
【図１２】図１２Ａ〜１２Ｃは、実施形態の変形例２に係るフィルタの製造方法の説明図である。
【図１３】図１３Ａは、実施形態の変形例３に係るフィルタの製造方法において形成する第１成形体の平面図である。図１３Ｂは、同上のフィルタの製造方法において形成する第１成形体の側面図である。
【図１４】図１４は、同上のフィルタの製造方法の説明図である。
【発明を実施するための形態】
【００１０】
（実施形態）
（１）概要
本実施形態に係る煙感知器は、火災等によって発生する煙を感知したときに、発報を行う防災機器である。つまり、火災等の災害の発生時において煙が発生すると、煙感知器は、この煙を検知し、一例として、警報音の出力又は通信機能による他の機器との連動等によって発報を行う。本開示でいう「防災機器」は、例えば、火災等の災害の防止、災害による被害の拡大の防止、又は被災からの復旧等の目的で施設に設置される機器である。
【００１１】
煙感知器１は、図５Ａ〜８に示すように、筐体２を備え、筐体２内に種々の部品を収容している。煙感知器１は、施設に設置されて使用される。本実施形態では、煙感知器１が、例えば、ホテル、オフィスビル、学校、福祉施設、商業施設、テーマパーク、病院又は工場等の非住宅の施設に用いられる場合を例示するが、この例に限らず、煙感知器１は、集合住宅又は戸建住宅等の施設に用いられてもよい。煙感知器１は、例えば、施設の居室、廊下又は階段等において、天井又は壁等に取り付けられた状態で施設に設置される。
【００１２】
本実施形態に係る煙感知器１は、図６及び７に示すように、筐体２と、光電式の煙感知ブロック１０と、音出力部６１と、を備えている。筐体２は、第１カバー２１及び第２カバー２２を有している。筐体２は、第２カバー２２を施工面に向けて施工面に取り付けられる。煙感知ブロック１０は、外部からの煙が出入り可能な煙感知空間Ｓｐ１（図８参照）を有する。煙感知ブロック１０は、煙感知空間Ｓｐ１内の煙を検知する。ここにおいて、煙感知ブロック１０は、発光素子４と、受光素子５と、を有する。発光素子４は、煙感知空間Ｓｐ１へ光を放射する。受光素子５は、発光素子４からの直接光が入射せず、かつ発光素子４から放射されて煙感知空間Ｓｐ１内の煙（煙粒子）で散乱された光（散乱光）が入射する位置に配置される。これにより、煙感知空間Ｓｐ１に煙が存在しない状態では、受光素子５は、発光素子４から放射された光を受光せず、煙感知空間Ｓｐ１に煙が存在する状態では、受光素子５は、発光素子４から放射され煙で散乱された光を受光する。したがって、煙感知器１は、受光素子５での受光状態によって、煙感知空間Ｓｐ１に存在する煙を感知することができる。第１カバー２１は、第１面２１ａ（図６及び７の例では上面）を含む。第２カバー２２は第２面２２ａ（図６及び７の例では下面）を含む。第２面２２ａは、第１面２１ａと基準方向（図６及び７の例では上下方向）に対向する。煙感知ブロック１０及び音出力部６１は、筐体２において第１面２１ａと第２面２２ａとの間に形成された収容空間Ｓｐ２（図８参照）に配置されている。
【００１３】
煙感知器１では、煙感知ブロック１０が、外部空間から煙感知空間Ｓｐ１への異物（虫、糸屑等）の侵入を防止するフィルタ７２を備えている。
【００１４】
（２）構成
以下、本実施形態に係る煙感知器１の構成について詳しく説明する。
【００１５】
本実施形態では、一例として、煙感知器１が施設の天井に取り付けられることとして説明する。以下、煙感知器１が天井に取り付けられた状態での、水平面に対して垂直な（直交する）方向を「上下方向」とし、上下方向における下方を「下方」として説明する。ただし、これらの方向は煙感知器１の使用方向（取付方向）を限定する趣旨ではない。例えば、ここで規定した「下方」が、実際の煙感知器１の設置状態では前方（水平方向）であってもよい。
【００１６】
また、以下に説明する各図面においては、煙感知器１の構成を模式的に表しており、図面における各種の寸法関係等が実物とは異なる場合がある。
【００１７】
（２．１）全体構成
まず、本実施形態に係る煙感知器１の全体構成について、図５Ａ〜８を参照して説明する。
【００１８】
煙感知器１は、筐体２と、煙感知ブロック１０（図６参照）と、音出力部６１（図６参照）と、を備えている。また、本実施形態では、煙感知器１は、回路ブロック２０（図６参照）と、電池６２と、を更に備えている。電池６２は、煙感知器１の構成要素に含まれることは必須ではなく、煙感知器１の構成要素に電池６２が含まれていなくてもよい。
【００１９】
筐体２は、平面視において円形状となる円盤状である。筐体２は、合成樹脂製の成形品である。筐体２は、第１カバー２１と、第２カバー２２と、を有している。第１カバー２１は、第２カバー２２の第２面２２ａを覆うように、第２カバー２２に対して組み合わされる。第２カバー２２は、施工面（本実施形態では天井面）に固定される。ただし、厳密には、第２カバー２２は施工面に直接的に固定されるわけではなく、施工面に固定されている取付ベースに固定されることによって、施工面に対して間接的に固定される。
【００２０】
ここで、第１カバー２１及び第２カバー２２は、いずれも円盤状に形成されており、平面視における外周形状が同一である。そのため、第１カバー２１と第２カバー２２とが組み合わされることにより、１つの円盤状の筐体２が構成される。第１カバー２１は、第２カバー２２に対して複数本（３本）のねじ６３にて結合される。第１カバー２１と第２カバー２２とが互いに結合された状態で、第１カバー２１と第２カバー２２との間には、煙感知ブロック１０、回路ブロック２０及び音出力部６１が収容される。
【００２１】
第１カバー２１は、円形状の第１主板２１１と、第１主板２１１の上面の外周部から上方に突出する第１周壁２１２と、を有している。また、第１カバー２１は、第１主板２１１の上面に、回路ブロック２０を配置するための回路ブロック配置領域２１３（図７参照）、及び音出力部６１を配置するための第１音出力部配置領域２１４（図７参照）を更に有している。第１カバー２１は、回路ブロック配置領域２１３内に配置された押釦２１５を更に有している。押釦２１５は、第１主板２１１に対してヒンジ構造により可動に構成されており、筐体２の内側、つまり上方へと押し込む操作が可能である。押釦２１５が押し操作されることにより、回路ブロック２０に含まれるスイッチが操作されることになる。
【００２２】
また、第１カバー２１では、第１主板２１１において第１音出力部配置領域２１４に対応する部分の一部に、第１主板２１１の板厚方向に貫通する音孔２１７（図５Ａ参照）が形成されている。
【００２３】
第２カバー２２は、円形状の第２主板２２１と、第２主板２２１の上面の外周部から上方に突出する第２周壁２２２と、を有している。また、第２カバー２２は、第２主板２２１の下面に、煙感知ブロック１０を配置するための窪み部２２３（図６参照）、及び音出力部６１を配置するための第２音出力部配置領域２２４を更に有している。第２カバー２２は、第２主板２２１の上面に、電池６２を収容するための電池収容領域２２５（図７参照）を更に有している。
【００２４】
また、第２カバー２２は、第２主板２２１の下面から下方に突出する複数のスペーサ２２６を更に有している。複数のスペーサ２２６は、各々の先端部（下端部）を第１主板２１１の上面に接触させることにより、第１カバー２１と第２カバー２２との間に、所定の隙間を確保する。具体的には、第１カバー２１と第２カバー２２とが互いに結合された状態で、第１周壁２１２の上端面と第２主板２２１の下面との間には、筐体２の内部空間を筐体２の外部とつなぐ開口部２３としての隙間が形成される。これにより、開口部２３を通して、筐体２の内部空間、つまり第１カバー２１と第２カバー２２との間の空間に、煙が流入可能となる。
【００２５】
煙感知ブロック１０は、ケース７と、発光素子４（図９Ａ参照）と、受光素子５（図９Ａ参照）と、を有している。ケース７は、平面視において円形状となる円盤状である。ケース７は、遮光性を有している。本実施形態では、ケース７の一部が壁構造３（図９Ａ参照）として機能する。壁構造３は、煙感知空間Ｓｐ１の外部から煙感知空間Ｓｐ１に光が進入することを抑制しつつも、煙感知空間Ｓｐ１の外部から煙感知空間Ｓｐ１に煙を取り込む機能を有する。煙感知ブロック１０は、筐体２の内部空間において、回路ブロック２０の上方に配置される。煙感知ブロック１０は、ケース７内における煙感知空間Ｓｐ１（図８〜１０参照）に存在する煙を感知する。
【００２６】
すなわち、煙感知ブロック１０は、図８に示すように、筐体２の内部空間、つまり第１カバー２１と第２カバー２２との間の空間（後述する収容空間Ｓｐ２）に、回路ブロック２０等と共に収容される。そして、筐体２の内部空間は、上述したように開口部２３を通して筐体２の外部とつながっているので、筐体２の内部空間には開口部２３を通して煙が流入可能である。図８では、煙の進入経路の一部を模式的に点線矢印で示している。そして、煙感知ブロック１０は、煙感知空間Ｓｐ１の外部から煙感知空間Ｓｐ１に煙を取り込む壁構造３を有するので、筐体２の内部空間（収容空間Ｓｐ２）に流入した煙は、更に煙感知空間Ｓｐ１へと流入可能となる。これにより、煙感知ブロック１０での煙の感知が可能となる。煙感知ブロック１０について詳しくは「（２．３）煙感知ブロックの構成」の欄で説明する。
【００２７】
回路ブロック２０は、プリント配線板２０１と、スイッチを含む複数の電子部品２０２と、を有している。複数の電子部品２０２は、プリント配線板２０１に実装される。プリント配線板２０１の導体部には、煙感知ブロック１０の発光素子４及び受光素子５が電気的に接続される。また、プリント配線板２０１の導体部には、音出力部６１及び電池６２が更に電気的に接続される。本実施形態では、プリント配線板２０１は、煙感知ブロック１０の下方、つまり煙感知ブロック１０と第１主板２１１との間に配置されている。煙感知ブロック１０はプリント配線板２０１の板厚方向の一面（上面）上に搭載される。
【００２８】
ここで、回路ブロック２０は、複数の電子部品２０２にて構成される制御回路を含んでいる。制御回路は、発光素子４、受光素子５及び音出力部６１等の制御を行う回路であって、少なくとも発光素子４を駆動し、かつ受光素子５の出力信号について信号処理を実行する。信号処理においては、回路ブロック２０は、受光素子５の受光量（出力信号の大きさ）を閾値と比較することにより、煙感知空間Ｓｐ１における煙の有無を判断する。受光素子５での受光量は、例えば、煙感知空間Ｓｐ１の煙の濃度、及び煙の種類（白煙及び黒煙等）によって変化する。したがって、回路ブロック２０は、閾値との比較により、一定以上の濃度の煙が煙感知空間Ｓｐ１に存在する場合に、「煙有り」と判断する。回路ブロック２０は、煙の存在を感知すると、音出力部６１を駆動するための電気信号を音出力部６１に出力する。
【００２９】
音出力部６１は、回路ブロック２０からの電気信号を受けて音（音波）を出力する。音出力部６１は、電気信号を音に変換するスピーカ又はブザー等により実現される。音出力部６１は、平面視において円形状となる円盤状である。音出力部６１は、煙感知器１の状態に応じて駆動され、煙感知器１は、少なくとも煙の存在を感知した場合に音出力部６１から音を出力する。
【００３０】
電池６２は、第２カバー２２の上方において、電池収容領域２２５に収容される。電池６２は、一次電池と二次電池とのいずれであってもよい。
【００３１】
以上説明したように構成される本実施形態に係る煙感知器１は、例えば、自動火災報知システムの構成要素に含まれる。自動火災報知システムは、煙感知器１の他、例えば、煙感知器１からの発報信号（火災信号）を受信する受信機、及び人が火災を発見した場合に押ボタンを操作するための発信機等を備えている。自動火災報知システムにおいては、例えば、煙感知器１にて火災（による煙）の発生が検知されると、煙感知器１から受信機へ火災発生を通知する発報信号（火災信号）が送信される。
【００３２】
（２．２）筐体の構成
第２カバー２２の上面２２ｂには、筐体２を施工面（本実施形態では天井面）に取り付けるための取付構造として、複数の引掛部２２９が設けられている。複数の引掛部２２９は、上面２２ｂの外周縁に沿って並んで配置されており、上面２２ｂから上方に突出する。第２カバー２２は、複数の引掛部２２９を取付ベースに引っ掛けることにより取付ベースに固定され、これにより、筐体２が施工面に対して間接的に固定される。
【００３３】
より詳細には、筐体２の外周面２４は、第１カバー２１の第１周壁２１２及び第２カバー２２の第２周壁２２２にて形成されており、第１周壁２１２と第２周壁２２２との間に生じた隙間が開口部２３を構成する。開口部２３は、筐体２の外周面２４のうち、基準方向（上下方向）の略中央部に位置し、外周面２４の全周に亘って形成されている。これにより、煙感知器１は、基準方向における開口部２３の寸法を比較的小さく抑えながらも、外周面２４の周方向の全域から筐体２の内部空間（収容空間Ｓｐ２）へ煙を流入可能とすることで煙が流入しやすくなる。
【００３４】
また、本実施形態に係る煙感知器１では、収容空間Ｓｐ２に煙感知ブロック１０及び音出力部６１が一緒に収容されるので、煙感知ブロック１０の煙感知空間Ｓｐ１に対する音出力部６１が出力する音の影響を低減するために、以下の構成を採用している。すなわち、煙感知器１は、仕切壁２５を更に備えている。仕切壁２５は、平面視において（基準方向の一方から見て）音出力部６１を囲むように、収容空間Ｓｐ２内における音出力部６１の周囲に配置されている。仕切壁２５は、図７に示すように、第１面２１ａ（第１主板２１１の上面）における第１音出力部配置領域２１４の周囲から上方に突出するように、第１主板２１１と一体に形成されている。
【００３５】
さらに、本実施形態では、第２カバー２２は、音出力部６１を押さえ付けるためのボス部２２８（図６参照）を有している。ボス部２２８は、例えば、円筒状であって、第２面２２ａ（第２主板２２１の下面）から下方に突出する。第１カバー２１と第２カバー２２とが互いに結合された状態で、ボス部２２８は、その先端部（下端部）が音出力部６１に接触し、音出力部６１を第１面２１ａに押し付ける。
【００３６】
また、本実施形態では、第２カバー２２は、煙を煙感知空間Ｓｐ１へ誘導するための複数の誘導壁２６を有している。複数の誘導壁２６は、図６に示すように、第２面２２ａ（第２主板２２１の下面）から下方に突出する。複数の誘導壁２６は、平面視において、煙感知ブロック１０が配置される領域（窪み部２２３）の中心から略放射状に延びた形に形成されている。複数の誘導壁２６は、筐体２の外周面２４の開口部２３から筐体２の内部空間（収容空間Ｓｐ２）へ流入した煙を、収容空間Ｓｐ２内に配置された煙感知ブロック１０の煙感知空間Ｓｐ１へと誘導する。火災時に発生する煙は、通常、上方に向けて流れる性質を有するので、収容空間Ｓｐ２の上面となる第２面２２ａに複数の誘導壁２６が形成されることで、煙が煙感知空間Ｓｐ１へ誘導されやすくなる。
【００３７】
ここで、第２面２２ａのうち、電池収容領域２２５（図７参照）の裏側となる部位には、電池収容領域２２５に対応する形状の凸部２３０が形成されている。複数の誘導壁２６のうちの一部の誘導壁２６は、凸部２３０につながる連結片２６１を含んでいる。これにより、複数の誘導壁２６は、筐体２の内部空間（収容空間Ｓｐ２）において、凸部２３０から煙感知空間Ｓｐ１に向けても煙を効率的に誘導することができる。
【００３８】
（２．３）煙感知ブロックの構成
次に、煙感知ブロック１０のより詳細な構成について、図９Ａ及び１０を参照して説明する。ただし、以下に説明する各図は模式的な図であって、図中の各部位の長さ又は大きさの比が必ずしも実際の寸法比を反映しているとは限らない。
【００３９】
煙感知ブロック１０は、上述したようにケース７と、発光素子４と、受光素子５と、を有しており、ケース７の一部が壁構造３として機能する。ケース７の内部には、煙感知空間Ｓｐ１が形成される。また、ケース７は、発光素子４を保持する発光素子ホルダ８を有している。さらに、ケース７は、受光素子５を保持する受光素子ホルダ９を有している。すなわち、本実施形態に係る煙感知器１は、発光素子ホルダ８及び受光素子ホルダ９を備えている。
【００４０】
本実施形態では、図９Ａに示すように、ケース７は、ケース本体７１と、フィルタ７２と、を有している。ケース本体７１は、合成樹脂製の成形品である。また、フィルタ７２は、合成樹脂製の成形品である。フィルタ７２は、ケース本体７１の上面を覆うように、ケース本体７１に対して組み合わされる。ケース本体７１は、プリント配線板２０１（図６及び７参照）に固定される。ケース本体７１は、ケース本体７１をプリント配線板２０１に固定するための一対の爪７１１（図９Ａ及び１０参照）を有している。一対の爪７１１は、ケース本体７１の下面の外周部から下方に突出しており、プリント配線板２０１の孔の周縁に引っ掛かることにより、ケース本体７１をプリント配線板２０１に固定する。言い換えれば、ケース本体７１とプリント配線板２０１とは、スナップフィット方式により機械的に結合される。
【００４１】
ここで、ケース本体７１及びフィルタ７２は、いずれも平面視において円形状に形成されており、平面視における外周形状が略同一である。そのため、ケース本体７１とフィルタ７２とが組み合わされることにより、１つの円盤状のケース７が構成される。ケース本体７１は、ケース本体７１とフィルタ７２とを結合するための一対の爪７１２（図９Ａ及び１０参照）を有している。一対の爪７１２は、ケース本体７１の上面の外周部から上方に突出しており、フィルタ７２の外周面に引っ掛かることにより、ケース本体７１とフィルタ７２とを結合する。言い換えれば、ケース本体７１とフィルタ７２とは、スナップフィット方式により機械的に結合される。ケース本体７１とフィルタ７２とが互いに結合された状態で、ケース本体７１とフィルタ７２との間には、煙感知空間Ｓｐ１が形成される。
【００４２】
ケース本体７１は、円形状の底板７３と、底板７３の上面７３１の外周部から上方に突出する壁構造３と、を有している。底板７３の上面７３１は、煙感知空間Ｓｐ１の底面を構成する。また、ケース本体７１は、発光素子ホルダ８及び受光素子ホルダ９を更に有している。ここにおいて、ケース本体７１は、光学基台を兼ねている。また、ケース本体７１は、遮光壁７４（図１０参照）、遮光リブ７５（図１０参照）及び補助遮光壁７６（図１０参照）を更に有している。発光素子ホルダ８、受光素子ホルダ９、遮光壁７４、遮光リブ７５及び補助遮光壁７６の各々は、底板７３の上面７３１から上方に突出する。ここで、底板７３の上面７３１からの発光素子ホルダ８、受光素子ホルダ９、遮光壁７４及び補助遮光壁７６の突出量は、底板７３の上面７３１からの壁構造３の突出量と略同一である。
【００４３】
フィルタ７２は、円形状の上板７２１と、上板７２１の下面の外周部から下方に突出する周壁７２２と、を有している。周壁７２２の内径は壁構造３の外径より大きい。さらに、上板７２１の下面からの周壁７２２の突出量は、底板７３の上面７３１からの壁構造３の突出量と略同一である。したがって、ケース本体７１とフィルタ７２とが互いに結合された状態では、周壁７２２の先端面（下端面）が底板７３の上面７３１に接触し、壁構造３の先端面（上端面）が上板７２１の下面に接触する。この状態で、壁構造３は周壁７２２で囲まれた空間に収まることになる。
【００４４】
周壁７２２は、複数のフィルタ部７２３を含んでいる。複数のフィルタ部７２３の各々は、複数の開口部７２３１を有している。また、複数のフィルタ部７２３の各々は、複数の開口部７２３１のうち隣り合う２つの開口部７２３１の間に位置する複数の線状部７２３２を有する。複数の開口部７２３１の各々の開口形状は、例えば正方形状である。複数のフィルタ部７２３は、上板７２１の下面の周方向に沿って並んでいる。フィルタ７２は、外部空間からケース７内の煙感知空間Ｓｐ１への虫、糸屑等の異物の進入を低減する。
【００４５】
壁構造３は、図１０に示すように、底板７３の上面７３１（一平面）に直交する一方向（上方）から見て煙感知空間Ｓｐ１を囲んでいる。図１０は、フィルタ７２をケース本体７１から外した状態、つまりフィルタ７２を省略した煙感知ブロック１０の平面図である。本実施形態では、底板７３の上面７３１上には、平面視において円形状の煙感知空間Ｓｐ１が形成されている。壁構造３は、平面視において、煙感知空間Ｓｐ１を全周にわたって包囲するように円環状に形成されている。言い換えれば、底板７３の上面７３１の外周部には、上面７３１の外周縁に沿って円環状の壁構造３が形成されている。ケース本体７１とフィルタ７２とが互いに結合された状態において、底板７３と上板７２１との間の空間であって、かつ壁構造３で囲まれた空間が煙感知空間Ｓｐ１となる。つまり、煙感知空間Ｓｐ１と、煙感知空間Ｓｐ１の周囲の空間と、は壁構造３によって仕切られている。
【００４６】
壁構造３は、煙は通過させつつも、光の透過を抑制する機能を有している。これにより、壁構造３は、煙感知空間Ｓｐ１の外部から煙感知空間Ｓｐ１に光が進入することを抑制しつつも、煙感知空間Ｓｐ１の外部から煙感知空間Ｓｐ１に煙を取り込むことを可能にする。
【００４７】
このような壁構造３は、上記の機能を実現するために、複数の煙通過孔３３を有している。複数の煙通過孔３３は、壁構造３の周方向に沿って並んでいる。これにより、壁構造３は、各煙通過孔３３を通して、煙を通過させることができ、煙感知空間Ｓｐ１の外部から煙感知空間Ｓｐ１に煙を取り込むことを可能にする。ここで、各煙通過孔３３は、少なくとも一部が曲がった形状である。つまり、壁構造３の外側からでは、各煙通過孔３３を通しても、壁構造３に囲まれた煙感知空間Ｓｐ１を見通すことができないように、各煙通過孔３３は、少なくとも一部が湾曲又は屈曲した形状を有している。これにより、壁構造３は、光が各煙通過孔３３を通して壁構造３を透過することが抑制され、煙感知空間Ｓｐ１の外部から煙感知空間Ｓｐ１に光が進入することの抑制が可能になる。
【００４８】
具体的には、壁構造３は、上面７３１の外周縁に沿って並ぶ複数の小片３０の集合体である。壁構造３は、これら複数の小片３０の間を通して煙を通過させる。言い換えれば、底板７３の上面７３１の外周部には、上面７３１の外周縁に沿って複数の小片３０が間隔を空けて並んで配置されている。複数の小片３０は、いずれも底板７３の上面７３１から突出しており、１つの壁構造３を構成する。複数の小片３０の上面７３１からの突出量は略均一である。壁構造３は、複数の小片３０のうち、隣接する一対の小片３０の間に、それぞれ煙通過孔３３を有している。そのため、各煙通過孔３３の上下方向の両側には、壁構造３を構成する小片３０が存在しない。
【００４９】
本実施形態では、複数の小片３０の各々は、平面視において、略Ｌ字状、略Ｖ字状又は略Ｙ字状に形成されている。このような形状により、隣接する一対の小片３０の間に生じる隙間からなる各煙通過孔３３は、上述したように、平面視において、少なくとも一部が曲がった形状となる。
【００５０】
本実施形態では、一例として、発光素子４は、発光ダイオードである。より詳細には、発光素子４は、レンズ付きの発光ダイオードである。発光素子４は、一対のリード線４０２を有し、プリント配線板２０１に電気的に接続されている。発光素子４は、回路ブロック２０から電力供給を受けて発光する。これにより、発光素子４は、煙感知空間Ｓｐ１に向けて光を放射する。
【００５１】
受光素子５は、光を電気信号に変換する光電変換を行う素子である。本実施形態では一例として、受光素子５は、フォトダイオードである。より詳細には、受光素子５は、レンズ付きのフォトダイオードである。受光素子５は、一対のリード線５０２を有し、プリント配線板２０１に電気的に接続されている。受光素子５は、回路ブロック２０に電気的に接続されている。
【００５２】
ここで、受光素子５は、発光素子４からの直接光が入射せず、かつ煙感知空間Ｓｐ１内の煙での散乱光が入射する位置に配置される。すなわち、発光素子４及び受光素子５の両方が、煙感知空間Ｓｐ１に向けて配置されている。ただし、図１０に示すように、平面視において、発光素子４と受光素子５とを結ぶ直線上には、遮光壁７４が配置されている。遮光壁７４は、発光素子４からの受光素子５への直接光を遮る機能を有する。本実施形態では、遮光壁７４は、壁構造３を構成する複数の小片３０のうちの１つに連続する形状に形成されている。図１０は、フィルタ７２を外した状態、つまりフィルタ７２を省略した煙感知ブロック１０の平面図である。
【００５３】
発光素子４及び受光素子５は、平面視において、発光素子４の光軸Ａ４と、受光素子５の光軸Ａ５と、が互いに交差するような位置関係で配置されている。発光素子４及び受光素子５が、上述のような位置関係にあれば、発光素子４からの直接光は受光素子５には入射しない。一方で、煙感知空間Ｓｐ１内に煙が流入すると、発光素子４からの光は煙感知空間Ｓｐ１において発光素子４の光の照射範囲と受光素子５の光の受光範囲との重複する範囲に存在する煙にて散乱され、この散乱された光の少なくとも一部が受光素子５にて受光される。
【００５４】
このように、煙感知空間Ｓｐ１に煙が存在しない状態では、受光素子５は、発光素子４から放射された光を受光せず、煙感知空間Ｓｐ１に煙が存在する状態では、受光素子５は、発光素子４から放射され煙で散乱された光（散乱光）を受光する。したがって、煙感知器１は、受光素子５での受光状態によって、煙感知空間Ｓｐ１に存在する煙を感知することができる。
【００５５】
また、遮光リブ７５は、平面視において、発光素子４の光出射面と対向する位置に配置されている。遮光リブ７５とフィルタ７２との間には、一定の隙間が生じる。発光素子４の光軸Ａ４は、遮光リブ７５よりも上の隙間を通ることになる。これにより、遮光リブ７５によって、発光素子４から放射された光の上下方向への拡がりが抑制される。
【００５６】
また、補助遮光壁７６は、壁構造３を構成する複数の小片３０のうち、遮光壁７４と受光素子ホルダ９との間に位置する１つの小片３０に連続する形状に形成されている。補助遮光壁７６は、底板７３の上面７３１又は上板７２１の下面等での光の反射に起因した煙感知空間Ｓｐ１の内部での迷光の発生を抑制し、かつ煙感知空間Ｓｐ１内への煙の流入性を向上させる機能を有する。つまり、補助遮光壁７６は、煙感知空間Ｓｐ１の外部から煙感知空間Ｓｐ１に光が進入することを抑制するための壁構造３の一部である小片３０とは、別の構造体である。図１０において、補助遮光壁７６と小片３０との境界線を想像線（二点鎖線）で示している。
【００５７】
発光素子ホルダ８は、発光素子４を保持する。発光素子ホルダ８は、壁構造３を構成する複数の小片３０のうち２つの小片３０の間に配置されている。発光素子ホルダ８は、発光素子４が嵌る窪みを有している。発光素子ホルダ８は、発光素子４の位置決めを行う機能を有する。
【００５８】
受光素子ホルダ９は、受光素子５を保持する。受光素子ホルダ９は、壁構造３を構成する複数の小片３０のうち２つの小片３０の間に配置されている。受光素子ホルダ９は、受光素子５が嵌る窪みを有している。
【００５９】
（２．４）フィルタ及びその製造方法
フィルタ７２は、図９Ａに示すように、複数のフィルタ部７２３を含んでいる。複数のフィルタ部７２３の各々は、図９Ｂに示すように、複数の開口部７２３１を有する。複数の開口部７２３１は、マトリクス状に並んでいる。また、複数のフィルタ部７２３の各々は、複数の開口部７２３１のうち隣り合う２つの開口部７２３１の間に位置する複数の線状部７２３２を有する。また、フィルタ部７２３は、複数の開口部７２３１と複数の線状部７２３２とを囲んでいる枠部７２６（図３参照）を有している。枠部７２６は、矩形枠状である。複数の開口部７２３１の各々の開口形状は、例えば正方形状である。複数のフィルタ部７２３は、上板７２１の下面の周方向に沿って並んでいる。
【００６０】
フィルタ７２は、外部空間から煙感知空間Ｓｐ１への異物（虫、糸屑等）の侵入を抑制する機能を有する。ここにおいて、複数の開口部７２３１の開口サイズは、例えば、０．３ｍｍ×０．３ｍｍである。また、複数の線状部７２３２の各々の線幅は、例えば、０．１ｍｍ以下であり、例えば、０．０７ｍｍである。なお、本実施形態では、フィルタ７２は、遮光性を有する。また、フィルタ７２は、電気絶縁性を有する。
【００６１】
本実施形態では、複数の線状部７２３２の各々は、その長手方向に直交する断面の形状が略楕円状である。本実施形態では、複数の線状部７２３２の各々の線幅Ｌ２は、その線状部７２３２の長さ方向に直交する断面における最短軸方向の長さＬ１（図２Ｂ参照）である。したがって、本実施形態では、複数の線状部７２３２の各々は、その長さ方向に直交する断面における最短軸方向の長さＬ１が０．１ｍｍ以下であり、例えば、０．０７ｍｍである。
【００６２】
フィルタ７２は、上述の複数のフィルタ部７２３を有する第１成形体１１（図１Ａ、２Ａ及び２Ｂ参照）を用いて形成された立体形状体１３（図１Ｂ及び１Ｃ参照）と、第２成形体１２（図１Ｃ参照）と、を含む。第１成形体１１は、樹脂成形体である。第１成形体１１の材料は、例えば、例えば、液晶ポリマー（ＬＣＰ）を含む。第１成形体１１の材料は、液晶ポリマーに限らず、例えば、ポリプロピレン（ＰＰ）、ポリエチレン系の樹脂等でもよい。第２成形体１２は、樹脂成形体である。第２成形体１２の材料は、例えば、ポリカＡＢＳを含む。第２成形体１２の材料は、ポリカＡＢＳに限らず、例えば、液晶ポリマー、ポリプロピレン等でもよい。本実施形態では、第１成形体１１の材料と第２成形体１２の材料とが異なっているが、第１成形体１１の材料と第２成形体の材料とが同じであってもよい。なお、第１成形体１１の材料及び第２成形体１２の材料は、黒色顔料を含んでいるが、これに限らず、例えば、黒色顔料の代わりに白色顔料を含んでいてもよい。
【００６３】
第１成形体１１は、円周方向に並んでいる複数のフィルタ部７２３と複数のフィルタ部７２３がつながっている円板状の連結部７２５とを含む。連結部７２５に関して円板状とは、略円板状である。略円板状は、厚さ方向から見て円形状である場合に限らず、例えば、６つ以上の角を有する正多角形状も含む。本実施形態では、連結部７２５は、正十三角形状である。また、本実施形態では、第１成形体１１は、複数のフィルタ部７２３のうち円周方向において離れた２つのフィルタ部７２３の間に位置して連結部７２５につながっている突出部７２４を含む。複数のフィルタ部７２３及び突出部７２４は、連結部７２５と同一面内で連結部７２５の外方に突出している。要するに、第１成形体１１では、平面視において、複数のフィルタ部７２３及び突出部７２４が連結部７２５から放射状に延びている。複数のフィルタ部７２３及び突出部７２４の各々は、略矩形状である。
【００６４】
立体形状体１３では、第１成形体１１において複数のフィルタ部７２３が連結部７２５との境界で折り曲げられている。複数のフィルタ部７２３は、連結部７２５とのなす角度が略９０度となるように折り曲げられている。
【００６５】
第２成形体１２は、立体形状体１３に一体に成形されている。フィルタ７２は、立体形状体１３と第２成形体１２とで構成されて複数のフィルタ部７２３を側壁１４１の一部として含む筒状体１４を有する。
【００６６】
以下、フィルタ７２の製造方法について図１Ａ〜３に基づいて説明する。
【００６７】
フィルタの製造方法は、第１工程と、第２工程と、第３工程と、を備える。
【００６８】
第１工程では、複数のフィルタ部７２３と１つの連結部７２５とを含む第１成形体１１を射出成形する（図１Ａ及び３参照）。フィルタ部７２３は、複数の開口部７２３１及び各々が複数の開口部７２３１のうち隣り合う２つの開口部７２３１の間に位置する複数の線状部７２３２を有する。連結部７２５には、複数のフィルタ部７２３がつながっている。また、本実施形態では、連結部７２５には、突出部７２４がつながっている。
【００６９】
第１工程では、図３に示すように、例えば、成形用の樹脂（溶融樹脂）を、金型における複数のランナ（Runner）Ｒ１及び複数のランナＲ１のそれぞれに一対一につながっている複数のゲートＧ１を通して、第１成形体１１に対応するキャビティに供給する。複数のゲートＧ１は、円周方向に並んで配置されている。複数のゲートＧ１は、上記金型において、連結部７２５に対応するキャビディの中心よりもキャビティの周部、つまり、フィルタ部７２３に対応するキャビティの近くに配置されている。複数のゲートＧ１は、連結部７２５に対応するキャビディに略直交するようにつながっている。複数のフィルタ部７２３の各々における複数の開口部７２３１の貫通方向は、連結部７２５の厚さ方向に沿った方向である。より詳細には、複数のフィルタ部７２３の各々における複数の開口部７２３１の貫通方向は、連結部７２５の厚さ方向に平行な方向である。
【００７０】
第２工程では、第１成形体１１をフィルタ部７２３と連結部７２５との境界において折り曲げることにより立体形状体１３を形成する（図１Ｂ参照）。
【００７１】
第３工程では、第２成形体１２を樹脂成形により立体形状体１３に一体に成形することによってフィルタ部７２３を側壁（フィルタ７２の周壁７２２）の一部として含む筒状体１４を形成する（図１Ｃ参照）。第３工程では、射出成形法により第２成形体１２を成形しているが、これに限らず、例えば、注型成形により第２成形体１２を成形してもよい。
【００７２】
第２成形体１２は、第１補強部１２１と、複数の第２補強部１２２と、を含む。第１補強部１２１は、連結部７２５に接着される。より詳細には、第１補強部１２１は、連結部７２５に重なるように形成され、立体形状体１３を補強する。第１補強部１２１は、円板状である。複数の第２補強部１２２の各々は、立体形状体１３においてフィルタ部７２３の一部とそのフィルタ部７２３に隣り合うフィルタ部７２３又は突出部７２４の一部とに重なり開口部７２３１に重ならないように形成され、両者に接着されることにより、立体形状体１３を補強する。第２補強部１２２は、柱状である。筒状体１４は、複数のフィルタ部７２３と突出部７２４と複数の第２補強部１２２とを含んでいる。
【００７３】
本実施形態のフィルタの製造方法では、第２成形体１２の少なくとも一部の肉厚が第１成形体１１の肉厚よりも厚い。第１成形体１１の肉厚は、フィルタ部７２３において、例えば、０．０５ｍｍ〜０．１ｍｍである。第２成形体１２の肉厚は、例えば、１ｍｍ〜２ｍｍである。
【００７４】
複数の線状部７２３２の各々は、図４に示すように、複数の開口部７２３１のうち対応する２つの開口部７２３１の貫通方向に沿った規定方向に細長い。本実施形態では、複数の線状部７２３２の各々における規定方向の両端それぞれが先細りしている。図４では、煙の進入経路の一部を模式的に点線矢印で示している。
【００７５】
（３）効果
実施形態１に係るフィルタの製造方法は、第１工程と、第２工程と、第３工程と、を備える。第１工程では、フィルタ部７２３と連結部７２５とを含む第１成形体１１を射出成形する。フィルタ部７２３は、複数の開口部７２３１及び各々が複数の開口部７２３１のうち隣り合う２つの開口部７２３１の間に位置する複数の線状部７２３２を有する。連結部７２５には、フィルタ部７２３がつながっている。第２工程では、第１成形体１１をフィルタ部７２３と連結部７２５との境界において折り曲げることにより立体形状体１３を形成する。第３工程では、第２成形体１２を樹脂成形により立体形状体１３に一体に成形することによってフィルタ部７２３を側壁１４１の一部として含む筒状体１４を形成する。
【００７６】
これにより、実施形態１に係るフィルタの製造方法では、複数の開口部７２３１をフィルタ部７２３の厚さ方向に沿って形成することができ、フィルタ性能の向上を図ることが可能となる。また、実施形態１に係るフィルタの製造方法では、フィルタ部７２３に、ばり、未充填箇所等の欠陥が発生するのを抑制することが可能となる。
【００７７】
実施形態１に係る煙感知器１は、外部空間から煙感知空間Ｓｐ１への異物の侵入を防止するフィルタ７２を備える。フィルタ７２は、立体形状体１３と、第２成形体１２と、を含む。立体形状体１３では、円周方向に並んでいる複数のフィルタ部７２３と複数のフィルタ部７２３がつながっている円板状の連結部７２５とを含む第１成形体１１において複数のフィルタ部７２３が連結部７２５との境界で折り曲げられている。複数のフィルタ部７２３の各々は、複数の開口部７２３１を有する。第２成形体１２は、立体形状体１３に一体に成形されている。フィルタ７２は、立体形状体１３と第２成形体１２とで構成されて複数のフィルタ部７２３を側壁１４１の一部として含む筒状体１４を有する。
【００７８】
これにより、実施形態１に係る煙感知器１では、フィルタ性能の向上を図ることが可能となる。よって、煙感知器１は、煙の検知特性に方向依存性が生じるのを抑制することが可能となる。また、煙感知器１の煙検知能力の向上を図れる。
【００７９】
（４）変形例
実施形態に係る煙感知器１は、本開示の様々な実施形態の一つに過ぎない。実施形態に係る煙感知器１は、本開示の目的を達成できれば、設計等に応じて種々の変更が可能である。以下、実施形態の変形例を列挙する。以下に説明する変形例は、適宜組み合わせて適用可能である。
【００８０】
例えば、実施形態では、ケース７及び煙感知空間Ｓｐ１のいずれもが平面視において円形状である場合について説明したが、この構成に限らず、ケース７又は煙感知空間Ｓｐ１は、例えば、平面視において楕円形状又は多角形状等であってもよい。この場合、壁構造３についても、平面視において、楕円形状又は多角形状等となる。
【００８１】
また、煙感知器１は、煙感知空間Ｓｐ１に流入した煙で散乱された発光素子４からの放射光を受光素子５で受光する構成に限らない。煙感知器１は、例えば、発光素子４からの直接光が入射する位置に受光素子５が配置され、煙感知空間Ｓｐ１に流入した煙による受光素子５での受光状態の変化（受光量の低下）によって、煙感知空間Ｓｐ１に存在する煙を感知してもよい。
【００８２】
また、実施形態では、複数の小片３０は底板７３の上面７３１から突出するように底板７３と一体に形成されているが、この構成に限らず、複数の小片３０は、底板７３と別体であってもよい。例えば、底板７３に対して、複数の小片３０が、接着又は嵌め込み等により固定されてもよい。この場合、複数の小片３０は、ばらばらに存在することになるが、この場合でも、複数の小片３０が１つの壁構造３を構成する。
【００８３】
第１成形体１１は、複数のフィルタ部７２３を有しているが、フィルタ部７２３の数は複数に限らず、１つであってもよい。また、第１成形体１１は、突出部７２４を有しているが、突出部７２４を備えていない構成であってもよい。また、第１成形体１１におけるフィルタ部７２３及び突出部７２４それぞれの数及び並びは図１Ａの例に限らず、例えば、複数のフィルタ部７２３と複数の突出部７２４とが交互に並んでいてもよい。
【００８４】
また、複数の線状部７２３２の各々は、長さ方向に直交する断面の形状が略楕円形状の形状である場合に限らず、長さ方向に直交する断面の形状が円形状、台形状等であってもよい。したがって、複数の線状部７２３２の各々は、規定方向の両端それぞれが先細りしている形状に限らない。
【００８５】
また、複数の線状部７２３２の各々は、規定方向の中間部と規定方向において気体の流の下流側となる端との間に微小な突起が形成されていてもよい。これにより、渦の発生を抑制でき、圧力損失を低減することが可能となる。フィルタ７２の線状部７２３２がこのような突起を備えることにより、煙感知器１のフィルタ７２を煙が通るときの圧力損失を低減でき、煙の流入特性を向上させることができる。よって、煙感知器１では、煙検知能力の向上を図れる。
【００８６】
また、フィルタ部７２３における複数の開口部７２３１の開口形状は、正方形状に限らず、例えば、長方形状、六角形状、円形状等であってもよい。複数の開口部７２３１は、マトリクス状に並ぶ場合に限らず、例えば、ハニカム状に並んでいてもよい。また、フィルタ部７２３では、開口形状の異なる複数種類の開口部７２３１が混在していてもよい。
【００８７】
また、フィルタ７２は、煙感知器１以外に適用される構成であってもよい。例えば、フィルタは、換気用のフィルタ、医療用のフィルタ、浄水用のフィルタ等であってもよい。
【００８８】
（実施形態２）
本実施形態に係るフィルタの製造方法では、第１工程において射出成形する第１成形体１１ａ（図１１参照）の形状が、実施形態１に係るフィルタの製造方法の第１工程において射出成形する第１成形体１１の形状と相違する。以下、実施形態１と同様の構成については、共通の符号を付して適宜説明を省略する。また、実施形態１と同様の工程については説明を適宜省略する。
【００８９】
第１成形体１１ａは、実施形態１における第１成形体１１よりもフィルタ部７２３の数が１つ少ない。また、第１成形体１１ａは、連結部７２５に扇形状の切欠部７２５１が形成されている。
【００９０】
第２工程では、実施形態１と同様、フィルタ部７２３及び突出部７２４を連結部７２５との境界において折り曲げることによって立体形状体１３と同様の立体形状体を形成する。
【００９１】
第３工程は、実施形態１と同様、立体形状体に第２成形体１２と同様の第２成形体を一体に成形する。
【００９２】
本実施形態では、第２工程において、連結部７２５の切欠部７２５１の隙間をなくすように連結部７２５を曲げることによって底面が開口した円錐状の立体形状体を形成することも可能である。
【００９３】
本実施形態のフィルタの製造方法により製造したフィルタを実施形態１の煙感知器１のフィルタ７２の代わりに適用してもよい。
【００９４】
（実施形態３）
本実施形態に係るフィルタの製造方法では、第１工程において射出成形する第１成形体１１ｂ（図１２Ａ参照）の形状が、実施形態１に係るフィルタの製造方法の第１工程において射出成形する第１成形体１１の形状と相違する。以下、実施形態１と同様の構成については、共通の符号を付して適宜説明を省略する。また、実施形態１と同様の工程については説明を適宜省略する。
【００９５】
第１成形体１１ｂでは、連結部７２５の形状が、実施形態１における第１成形体１１の連結部７２５の形状と相違する。第１成形体１１ｂにおける連結部７２５は、円環状である。
【００９６】
第２工程では、実施形態１と同様、フィルタ部７２３及び突出部７２４を連結部７２５ｂとの境界において折り曲げることによって立体形状体１３ｂを形成する（図１２Ｂ参照）。
【００９７】
第３工程は、立体形状体１３ｂに第２成形体１２を一体に成形する（図１２Ｃ参照）。
【００９８】
本実施形態のフィルタの製造方法により製造したフィルタ７２ｂを実施形態１の煙感知器１のフィルタ７２の代わりに適用してもよい。
【００９９】
（実施形態４）
本実施形態に係るフィルタの製造方法では、第１工程において射出成形する第１成形体１１ｃ（図１３Ａ及び１３Ｂ参照）の形状が、実施形態１に係るフィルタの製造方法の第１工程において射出成形する第１成形体１１の形状と相違する。以下、実施形態１と同様の構成については、共通の符号を付して適宜説明を省略する。また、実施形態１と同様の工程については説明を適宜省略する。
【０１００】
第１成形体１１ｃは、フィルタ部７２３ｃを複数（図示例では、２つ）含む。第１成形体１１ｃでは、複数のフィルタ部７２３ｃが一方向に並んでおり、かつ、この一方向において隣り合う２つのフィルタ部７２３ｃの間に２つのフィルタ部７２３ｃに共通の連結部７２５ｃが介在している。
【０１０１】
第２工程では、第１成形体１１ｃを複数のフィルタ部７２３ｃと連結部７２５ｃとの各境界において折り曲げることにより立体形状体１３ｃを形成する（図１４参照）。本実施形態では、２つの第１成形体１１ｃにより立体形状体１３ｃを形成しているが、これに限らず、フィルタ部７２３ｃの数を増やして１つの第１成形体１１ｃにより立体形状体１３を形成してもよい。
【０１０２】
第３工程では、第２成形体を樹脂成形により立体形状体１３ｃに一体に成形することによって複数のフィルタ部７２３を側壁の一部として含む有底の筒状体を形成する。
【０１０３】
（まとめ）
以上説明した実施形態等から以下の態様が開示されている。
【０１０４】
第１の態様に係るフィルタの製造方法は、第１工程と、第２工程と、第３工程と、を備える。第１工程では、フィルタ部（７２３；７２３ｃ）と連結部（７２５；７２５ｂ；７２５ｃ）とを含む第１成形体（１１；１１ａ；１１ｂ；１１ｃ）を射出成形する。フィルタ部（７２３；７２３ｃ）は、複数の開口部（７２３１）及び各々が複数の開口部（７２３１）のうち隣り合う２つの開口部（７２３１）の間に位置する複数の線状部（７２３２）を有する。連結部（７２５；７２５ｂ；７２５ｃ）は、フィルタ部（７２３；７２３ｃ）がつながっている。第２工程では、第１成形体（１１；１１ａ；１１ｂ；１１ｃ）をフィルタ部（７２３；７２３ｃ）と連結部（７２５；７２５ｂ；７２５ｃ）との境界において折り曲げることにより立体形状体（１３；１３ｃ）を形成する。第３工程では、第２成形体（１２）を樹脂成形により立体形状体（１３；１３ｃ）に一体に成形することによってフィルタ部（７２３；７２３ｃ）を側壁（１４１）の一部として含む筒状体（１４）を形成する。
【０１０５】
第１の態様に係るフィルタの製造方法は、フィルタ性能の向上を図ることが可能となる。
【０１０６】
第２の態様に係るフィルタの製造方法では、第１の態様において、複数の線状部（７２３２）の各々は、その長さ方向に直交する断面における最短軸方向の長さ（Ｌ１）が０．１ｍｍ以下である。
【０１０７】
第３の態様に係るフィルタの製造方法では、第１又は２の態様において、第２成形体（１２）の少なくとも一部の肉厚が第１成形体（１１）の肉厚よりも厚い。
【０１０８】
第３の態様に係るフィルタの製造方法では、第２成形体（１２）により立体形状体（１３；１３ｃ）を補強することができるので、第１成形体（１１；１１ａ；１１ｂ；１１ｃ）の肉厚をより薄くすることが可能となる。
【０１０９】
第４の態様に係るフィルタの製造方法では、第１〜３の態様のいずれか一つにおいて、第１成形体（１１；１１ａ）の連結部（７２５）が円板状である。第１成形体（１１；１１ａ）は、フィルタ部（７２３）を複数含み、かつ、複数のフィルタ部（７２３）が連結部（７２５）の周方向に並んでいる。第２工程では、第１成形体（１１；１１ａ）を複数のフィルタ部（７２３）と連結部（７２５）との各境界において折り曲げることにより立体形状体（１３）を形成する。第３工程では、第２成形体（１２）を樹脂成形により立体形状体（１３）に一体に成形することによって複数のフィルタ部（７２３）を側壁（１４１）の一部として含む筒状体（１４）を形成する。
【０１１０】
第４の態様に係るフィルタの製造方法では、フィルタ性能の向上を図りつつ、有底円筒状のフィルタ（７２）を容易に形成することが可能となる。
【０１１１】
第５の態様に係るフィルタの製造方法では、第１〜３の態様のいずれか一つにおいて、第１成形体（１１ｂ）の連結部（７２５ｂ）が環状である。第１成形体（１１ｂ）は、フィルタ部（７２３）を複数含み、かつ、複数のフィルタ部（７２３）が連結部（７２５ｂ）の外側で連結部（７２５ｂ）の周方向に並んでいる。第２工程では、第１成形体（１１ｂ）を複数のフィルタ部（７２３）と連結部（７２５ｂ）との各境界において折り曲げることにより立体形状体（１３ｂ）を形成する。第３工程では、第２成形体（１２）を樹脂成形により立体形状体（１３ｂ）に一体に成形することによって複数のフィルタ部（７２３）を側壁（１４１）の一部として含む有底の筒状体（１４）を形成する。
【０１１２】
第５の態様に係るフィルタの製造方法では、フィルタ性能の向上を図りつつ、有底円筒状のフィルタ（７２）を容易に形成することが可能となる。
【０１１３】
第６の態様に係るフィルタの製造方法では、第１〜３の態様のいずれか一つにおいて、第１成形体（１１ｃ）は、フィルタ部（７２３ｃ）を複数含む。第１成形体（１１ｃ）では、複数のフィルタ部（７２３ｃ）が一方向に並んでおり、かつ、この一方向において隣り合う２つのフィルタ部（７２３ｃ）の間に２つのフィルタ部（７２３ｃ）に共通の連結部（７２５ｃ）が介在している。第２工程では、第１成形体（１１ｃ）を複数のフィルタ部（７２３ｃ）と連結部（７２５ｃ）との各境界において折り曲げることにより立体形状体（１３ｃ）を形成する。第３工程では、第２成形体（１２）を樹脂成形により立体形状体（１３ｃ）に一体に成形することによって複数のフィルタ部（７２３ｃ）を側壁（１４１）の一部として含む有底の筒状体（１４）を形成する。
【０１１４】
第６の態様に係るフィルタの製造方法では、フィルタ性能の向上を図りつつ、有底円筒状のフィルタ（７２）を容易に形成することが可能となる。
【０１１５】
第７の態様に係るフィルタの製造方法は、第１〜６の態様のいずれか一つにおいて、複数の線状部（７２３２）の各々は、複数の開口部（７２３１）のうち対応する２つの開口部（７２３１）の貫通方向に沿った規定方向に細長い。複数の線状部（７２３２）の各々における規定方向の両端それぞれが先細りしている。
【０１１６】
第７の態様に係るフィルタの製造方法では、複数の開口部（７２３１）の各々を通る気体の流れにおいて渦が発生するのを抑制することが可能となる。
【０１１７】
第８の態様に係る煙感知器（１）は、外部空間から煙感知空間（Ｓｐ１）への異物の侵入を防止するフィルタ（７２）を備える。フィルタ（７２）は、立体形状体（１３）と、第２成形体（１２）と、を含む。立体形状体（１３；１３ｃ）では、円周方向に並んでいる複数のフィルタ部（７２３）と複数のフィルタ部（７２３）がつながっている円板状の連結部（７２５）とを含む第１成形体（１１；１１ａ）において複数のフィルタ部（７２３）が連結部（７２５）との境界で折り曲げられている。複数のフィルタ部（７２３）の各々は、複数の開口部（７２３１）を有する。第２成形体（１２）は、立体形状体（１３）に一体に成形されている。フィルタ（７２）は、立体形状体（１３）と第２成形体（１２）とで構成されて複数のフィルタ部（７２３）を側壁（１４１）の一部として含む筒状体（１４）を有する。
【０１１８】
第８の態様に係る煙感知器（１）では、フィルタ性能の向上を図ることが可能となる。
【符号の説明】
【０１１９】
１  煙感知器
１１、１１ａ、１１ｂ、１１ｃ  第１成形体
１２  第２成形体
１３、１３ｃ  立体形状体
１４  筒状体
１４１  側壁
７２  フィルタ
７２３、７２３ｃ  フィルタ部
７２３１  開口部
７２３２  線状部
７２５、７２５ｂ、７２５ｃ  連結部
Ｌ１  長さ
Ｓｐ１  煙感知空間
【図１】
2019188378.tif 000003
【図２】
2019188378.tif 000004
【図３】
2019188378.tif 000005
【図４】
2019188378.tif 000006
【図５】
2019188378.tif 000007
【図６】
2019188378.tif 000008
【図７】
2019188378.tif 000009
【図８】
2019188378.tif 000010
【図９】
2019188378.tif 000011
【図１０】
2019188378.tif 000012
【図１１】
2019188378.tif 000013
【図１２】
2019188378.tif 000014
【図１３】
2019188378.tif 000015
【図１４】
2019188378.tif 000016